(57)【要約】【課題】  従来の伝票またはレシート等の紙媒体に署名する方式を取りながら、署名された伝票またはレシート等を電子データとして保存させることを可能にする印刷装置およびＰＯＳシステムを提供する。【解決手段】  印刷装置１０で印刷されて取引客により署名されたレシートを、スリップ紙挿入口２１ａから挿入し、このレシートの画像の読み取りを行い、レシート画像データを生成する。生成されたレシート画像データは、その商取引における取引データと対応付けて印刷装置１０に備えられたフラッシュＲＯＭに記憶される。【選択図】      図２
2007025747.tif 000002
【特許請求の範囲】
【請求項１】
連続紙への印刷を行う印刷部と、
前記印刷部により印刷された連続紙と同じ幅の紙媒体が搬送される搬送部と、
前記搬送部を搬送される前記紙媒体の画像を読み取る画像読取部と、
前記画像読取部の読み取り結果に基づき画像データを生成する画像データ生成部と、を備えたことを特徴とする印刷装置。
【請求項２】
請求項１に記載の印刷装置において、
前記印刷部は、商取引の内容および署名欄を印刷することを特徴とする印刷装置。
【請求項３】
請求項１または２に記載の印刷装置において、
前記搬送部は、搬送される前記紙媒体の幅に合わせて位置決めする可動式のガイド部を備えていることを特徴とする印刷装置。
【請求項４】
請求項１〜３のいずれか一項に記載の印刷装置において、
外部装置とデータを送受信する通信部と、
前記画像データを記憶する画像記憶部と、をさらに備え、
前記画像データは、前記通信部により前記外部装置から受信した商取引の取引情報に関する取引データに対応付けられて前記画像記憶部に記憶されることを特徴とする印刷装置。
【請求項５】
請求項４に記載の印刷装置において、
前記画像記憶部に記憶された前記画像データを検索する画像検索部をさらに備え、
前記印刷装置は、前記画像検索部により、前記通信部により前記外部装置から受信する取引データを構成する少なくとも１つのデータに基づき当該データに対応する前記画像データを検索し、
前記画像検索部により検索された前記画像データを前記通信部により前記外部装置に送信することおよび前記画像検索部により検索された前記画像データを前記印刷部により印刷することのうち少なくとも１つを行うことを特徴とする印刷装置。
【請求項６】
請求５に記載の印刷装置において、
前記取引データを記憶する取引記憶部をさらに備えることを特徴とする印刷装置。
【請求項７】
請求項６に記載の印刷装置において、
前記取引記憶部に記憶された前記取引データを検索する取引検索部をさらに備え、
前記印刷装置は、前記取引検索部により、前記通信部により前記外部装置から受信する取引データを構成する少なくとも１つのデータに基づき当該データに対応する前記取引データを検索し、
前記取引検索部により検索された前記取引データを、前記画像検索部により検索された前記画像データとともに前記通信部により前記外部装置に送信することおよび前記取引検索部により検索された前記取引データを、前記画像検索部により検索された前記画像データとともに前記印刷部により印刷することのうち少なくとも１つを行うことを特徴とする印刷装置。
【請求項８】
請求項５〜７のいずれか一項に記載の印刷装置において、
カード媒体が搬送されるカード搬送部と、
前記カード搬送部を搬送される前記カード媒体の画像を読み取るカード画像読取部と、
前記カード画像読取部の読み取り結果に基づきカード画像データを生成するカード画像データ生成部と、
前記カード画像データを記憶するカード画像記憶部と、をさらに備え、
前記カード画像データは、前記通信部により前記外部装置から受信した前記取引データに対応付けられて前記カード画像記憶部に記憶されることを特徴とする印刷装置。
【請求項９】
請求項８に記載の印刷装置において、
前記カード画像記憶部に記憶された前記カード画像データを検索するカード画像検索部をさらに備え、
前記印刷装置は、前記カード画像検索部により、前記通信部により前記外部装置から受信する取引データを構成する少なくとも１つのデータに基づき当該データに対応する前記カード画像データを検索し、
前記カード画像検索部により検索された前記カード画像データを、前記画像検索部により検索された前記画像データとともに前記通信部により前記外部装置に送信することおよび前記カード画像検索部により検索された前記カード画像データを、前記画像検索部により検索された前記画像データとともに前記印刷部により印刷することのうち少なくとも１つを行うことを特徴とする印刷装置。
【請求項１０】
請求項１〜９のいずれか一項に記載の印刷装置と、
前記印刷装置と接続されて用いられるＰＯＳ端末装置と、を備えたことを特徴とするＰＯＳシステム。
【請求項１１】
請求項１〜３のいずれか一項に記載の印刷装置と、
前記印刷装置と接続されて用いられるＰＯＳ端末装置と、を備えたＰＯＳシステムであって、
前記印刷装置は、
前記ＰＯＳ端末装置とデータを送受信する第１通信部をさらに備え、
前記ＰＯＳ端末装置は、
商取引の取引情報を入力する入力装置と、
前記入力装置により入力された前記取引情報に基づき取引データを生成する取引データ生成部と、
前記取引データを記憶する取引記憶部と、
前記印刷装置とデータを送受信する第２通信部と、
前記第１通信部から前記第２通信部に送信された前記画像データを記憶する画像記憶部と、
データを出力する出力部と、を備え、
前記画像データは、前記取引データに対応付けられて前記画像記憶部に記憶されることを特徴とするＰＯＳシステム。
【請求項１２】
請求項１１に記載のＰＯＳシステムにおいて、
前記ＰＯＳ端末装置は、
前記画像記憶部に記憶された前記画像データを検索する画像検索部をさらに備え、
前記ＰＯＳ端末装置は、前記画像検索部により、前記取引データを構成する少なくとも１つのデータに基づき当該データに対応する前記画像データを検索し、
前記画像検索部により検索された前記画像データを前記出力部により出力することおよび前記画像検索部により検索された前記画像データを、前記第２通信部から前記第１通信部に送信し、前記印刷部により印刷することのうち少なくとも１つを行うことを特徴とするＰＯＳシステム。
【請求項１３】
請求項１２に記載のＰＯＳシステムにおいて、
前記ＰＯＳ端末装置は、
前記取引記憶部に記憶された前記取引データを検索する取引検索部をさらに備え、
前記ＰＯＳ端末装置は、前記取引検索部により、前記取引データ生成部により生成される前記取引データを構成する少なくとも１つのデータに基づき当該データに対応する前記取引データを検索し、
前記取引検索部により検索された前記取引データを、前記画像検索部により検索された前記画像データとともに前記出力部により出力することおよび前記取引検索部により検索された前記取引データを、前記画像検索部により検索された前記画像データとともに前記第２通信部から前記第１通信部に送信し、前記印刷部により印刷することのうち少なくとも１つを行うことを特徴とするＰＯＳシステム。
【請求項１４】
請求項１２または１３に記載のＰＯＳシステムにおいて、
前記印刷装置は、
カード媒体が搬送されるカード搬送部と、
前記カード搬送部を搬送される前記カード媒体の画像を読み取るカード画像読取部と、
前記カード画像読取部の読み取り結果に基づきカード画像データを生成するカード画像データ生成部と、をさらに備え、
前記ＰＯＳ端末装置は、
前記第１通信部から前記第２通信部に送信された前記カード画像データを記憶するカード画像記憶部をさらに備え、
前記カード画像データは、前記取引データに対応付けられてカード画像記憶部に記憶されることを特徴とするＰＯＳシステム。
【請求項１５】
請求項１４に記載のＰＯＳシステムにおいて、
前記ＰＯＳ端末装置は、
前記カード画像記憶部に記憶された前記カード画像データを検索するカード画像検索部をさらに備え、
前記ＰＯＳ端末装置は、前記カード画像検索部により、前記取引データ生成部により生成される前記取引データを構成する少なくとも１つのデータに基づき当該データに対応する前記カード画像データを検索し、
前記カード画像検索部により検索された前記カード画像データを、前記画像検索部により検索された前記画像データとともに前記出力部により出力することおよび前記カード画像検索部により検索された前記カード画像データを、前記画像検索部により検索された前記画像データとともに前記第２通信部から前記第１通信部に送信し、前記印刷部により印刷することのうち少なくとも１つを行うことを特徴とするＰＯＳシステム。
【発明の詳細な説明】
【技術分野】
【０００１】
本発明は、ＰＯＳ端末装置に接続して用いられる印刷装置およびＰＯＳシステムに関する。
【背景技術】
【０００２】
スーパーマーケット、小売店等での商取引において、クレジットカード等のカードを用いて支払い料金の決済が行われることがある。例えば、クレジットカードによる決済の場合、所定の条件に応じてクレジットカードの与信照会が行われ、与信照会の結果、問題がない場合、端末装置のオペレータの入力操作により、取引内容の明細、署名欄等が印刷された伝票またはレシートが印刷装置から印刷される。オペレータは、印刷された伝票またはレシートをカード使用者に渡して署名欄への署名を依頼する。そしてカードの署名欄の署名と直筆された伝票等の署名とを比較し、本人であるか否かを確認する。本人確認がされた後、決済処理がなされ、カード使用者により署名された伝票またはレシートは店舗において所定期間保管する。
このようなクレジットカード等を用いた決済において、カード使用者が、伝票またはレシートに印刷された署名欄には署名しないで、タブレットやタッチパネル等の入力装置へペン等を利用して署名し、署名された画像（以下、署名画像と称す）に対しての画像データを利用する方法が知られている。
例えば、特許文献１に記載されるＰＯＳ端末装置においては、クレジットカードを用いた決済において、カード使用者がタブレットまたはタッチパネルから入力した署名画像を複数枚の伝票に印刷することにより、署名入りの控え用の伝票を作成している。また、署名画像に対しての画像データを保存し、後に、カード使用者が署名した際、その署名画像と、保存されている画像データに基づいた署名画像とを照合することにより、カード使用者がカード所有者本人であるか否かを確認するためにも利用している。
【０００３】
【特許文献１】特開平１０−２２２７６０号公報
【発明の開示】
【発明が解決しようとする課題】
【０００４】
しかし、特許文献１に記載されるＰＯＳ端末装置では、カード使用者がタブレットまたはタッチパネルから署名した署名画像に対しての画像データを保存しているのみで、署名入りの伝票またはレシートに対しての画像データは保存していない。そのため、店舗控え用となる署名入りの伝票またはレシートは、紙媒体により保管せざるを得ないという課題があった。また、従来の紙媒体に署名する方式とは異なり、タブレットまたはタッチパネルに対して署名する方式であるため、署名画像に対しての画像データが他の用途に悪用されるのではないかという危惧もあり、セキュリティ面等の理由により、カード使用者が署名することに不信感を抱くことも考えられる。
【０００５】
本発明は、上記課題に鑑みてなされたものであり、従来の伝票またはレシート等の紙媒体に署名する方式を取りながら、署名された伝票またはレシート等を電子データとして保存させることを可能にする印刷装置およびＰＯＳシステムを提供することを目的とする。
【課題を解決するための手段】
【０００６】
上述した目的を達成するために、本発明の印刷装置は、連続紙への印刷を行う印刷部と、印刷部により印刷された連続紙と同じ幅の紙媒体が搬送される搬送部と、搬送部を搬送される紙媒体の画像を読み取る画像読取部と、画像読取部の読み取り結果に基づき画像データを生成する画像データ生成部と、を備えたことを特徴とする。
【０００７】
このような印刷装置によれば、連続紙へ印刷を行い、その印刷された連続紙が単票紙の形にカッティングされた紙媒体や別の印刷装置により印刷された同じ幅の紙媒体を、搬送部にセットして搬送させ、その紙媒体の画像を読み取り、画像データとして生成する。
したがって、例えば、店舗での商品販売等の商取引において、印刷装置でレシートを印刷した後、そのレシートを同じ印刷装置の搬送部にセットし、印刷されたレシートの画像を読み取って、そのレシートに対しての画像データを生成し、印刷されたレシートに記された内容を画像データとして保管することができる。また、別の印刷装置で印刷された同じ幅のレシートについても同様に、印刷されたレシートに記された内容を画像データとして保管することができる。
このように、印刷装置により印刷された紙を、電子データの形式で保管することにより、紙に関わるコストを低減でき、さらに、紙で保管するのと比較して保管業務を簡素化でき、紙での保管において確保していた保管スペースを削減することもできる。
【０００８】
上記印刷装置において、印刷部は、商取引の内容および署名欄を印刷することが好ましい。
【０００９】
このような印刷装置によれば、商取引にともない当該印刷装置により印刷された紙媒体に、その商取引の内容および必要な署名が記載され、その署名された紙媒体の画像を読み取り、画像データを生成することができる。
したがって、例えば、クレジットカードによる決済の場合、印刷装置で取引内容の明細、署名欄等が記されたレシートを印刷し、そのレシートの署名欄へ取引客の署名を依頼する。取引客によりレシートに署名がされると、その署名入りのレシートを印刷装置の搬送部にセットして搬送させ、署名入りのレシートの画像を読み取って画像データを生成する。よって、商取引の記録として保管が必要な、商取引の内容および署名が記されている紙に対しての画像データを保管することができる。
【００１０】
上記印刷装置において、搬送部は、搬送される紙媒体の幅に合わせて位置決めする可動式のガイド部を備えていることが好ましい。
【００１１】
このような印刷装置によれば、紙媒体の幅に合わせて位置決めする可動式のガイド部を備えたことにより、搬送部を搬送される紙媒体の幅に合わせてガイド部を可動させて位置決めすることができる。
これにより、複数種の幅の紙媒体を使用した場合にも、また当該印刷装置以外の印刷装置より印刷された幅の異なる紙媒体でも、紙媒体が搬送方向に対して斜めに搬送されることがなくなり、画像読取部は、搬送方向に対して傾きが生じない紙媒体の画像を読み取ることができる。また、紙媒体が斜めに搬送されることにより発生する搬送部における紙媒体の詰まりも防止できる。
【００１２】
上記印刷装置において、外部装置とデータを送受信する通信部と、画像データを記憶する画像記憶部と、をさらに備え、画像データは、通信部により外部装置から受信した商取引の取引情報に関する取引データに対応付けられて画像記憶部に記憶されることが好ましい。
【００１３】
このような印刷装置によれば、生成された画像データは、外部装置から受信した商取引の取引情報に関しての取引データと対応付けられて画像記憶部に記憶される。このため、紙媒体の情報は、画像データとして保管し、蓄積することができる。また、取引データと対応付けられるため、以後のデータ処理がし易くなり、取引データと画像データに関する処理がスピーディに行える。
したがって、例えば、クレジットカードによる決済の場合、印刷装置と接続されているＰＯＳ端末装置から取引データを受信し、次に、生成された画像データを、例えば、取引データを構成するクレジットカード番号および日時のデータに対応付けて記憶させる。これにより、クレジットカード番号および日時のデータを元に、該当する商取引で発行されたレシートに対しての画像データを処理することができる。また、逆に、画像データを元に、その画像データが生成された商取引におけるクレジットカード番号および日時のデータを処理することができる。
さらに、印刷装置に画像記憶部を備えて画像データを記憶するため、印刷装置のクローズな環境の中で独自のデータ管理が行え、セキュリティの面で好ましい。また、印刷装置は独自なコマンド仕様を有し、かつ非公開にすることが可能であるため、さらにセキュリティを高めることができる。そして、印刷装置で画像を印刷する場合、印刷装置に備えた画像記憶部からデータを読み出して印刷するため、印刷に関わる処理時間を短縮することができる。
なお、ここで、取引情報に関しての取引データとは、例えば、クレジットカードを用いての商取引の場合、そのクレジットカードに記録されたクレジット会社名、クレジットカード番号等や、商品が購入された日時、購入商品名、売上金額、伝票番号等の情報を構成するデータを示す。
【００１４】
上記印刷装置において、画像記憶部に記憶された画像データを検索する画像検索部をさらに備え、印刷装置は、画像検索部により、通信部により外部装置から受信する取引データを構成する少なくとも１つのデータに基づき当該データに対応する画像データを検索し、画像検索部により検索された画像データを通信部により外部装置に送信することおよび画像検索部により検索された画像データを印刷部により印刷することのうち少なくとも１つを行うことが好ましい。
【００１５】
このような印刷装置によれば、取引データを構成するデータを受信し、そのデータに基づき、画像記憶部に記憶された画像データを検索する。そして、検索された画像データを印刷装置で印刷させたり、外部装置へ送信して外部装置でこのデータを、例えば表示装置へ表示させたりする。これにより、取引データを構成するデータに該当する商取引における紙媒体の画像を確認することができる。
したがって、例えば、クレジットカードによる決済の場合、例えば、取引データを構成するクレジットカード番号および日時のデータを外部装置から受信し、そのデータを元に該当する画像データを検索する。検索された画像データは、印刷装置で印刷させたり、ＰＯＳ端末装置に送信して表示装置へ表示させたりする。これにより、入力されたクレジットカード番号および日時に該当する商取引におけるレシートの画像を確認できる。
また、ここで、最初にクレジットカード番号を外部装置から受信し、該当する画像データを検索した結果、複数の商取引についての画像データが対象となった場合、次に日時を外部装置から受信し、最初に検索された複数の商取引についての画像データからさらに絞込みの検索を行うことができる。
【００１６】
上記印刷装置において、取引データを記憶する取引記憶部をさらに備えることが好ましい。
【００１７】
このような印刷装置によれば、通信部により外部装置から受信した取引情報に関しての取引データを保存することができる。このため、画像記憶部に記憶された画像データを検索する際、その画像データの商取引における取引データも印刷装置から検索することができる。また、取引データは印刷装置に記憶されることにより、取引データの印刷に関わる処理時間を短縮することができる。さらに、印刷装置に記憶されることで、印刷装置のクローズな環境の中で独自のデータ管理が行え、セキュリティの面で好ましい。また、印刷装置は独自なコマンド仕様を有し、かつ非公開にすることが可能であるため、さらにセキュリティを高めることができる。
【００１８】
上記印刷装置において、取引記憶部に記憶された取引データを検索する取引検索部をさらに備え、印刷装置は、取引検索部により、通信部により外部装置から受信する取引データを構成する少なくとも１つのデータに基づき当該データに対応する取引データを検索し、取引検索部により検索された取引データを、画像検索部により検索された画像データとともに通信部により外部装置に送信することおよび取引検索部により検索された取引データを、画像検索部により検索された画像データとともに印刷部により印刷することのうち少なくとも１つを行うことが好ましい。
【００１９】
このような印刷装置によれば、取引データを構成するデータを受信し、そのデータに基づき、画像記憶部に記憶された画像データを検索するとともに、取引記憶部に記憶された取引データを検索する。そして、検索された画像データおよび取引データを印刷装置で印刷させたり、外部装置へ送信して外部装置でこれらのデータを、例えば表示装置へ表示させたりする。これにより、例えば、取引データを構成するクレジットカード番号および日時のデータを元に、該当する商取引における紙媒体の画像および取引情報を確認することができる。
【００２０】
上記印刷装置において、カード媒体が搬送されるカード搬送部と、カード搬送部を搬送されるカード媒体の画像を読み取るカード画像読取部と、カード画像読取部の読み取り結果に基づきカード画像データを生成するカード画像データ生成部と、カード画像データを記憶するカード画像記憶部と、をさらに備え、カード画像データは、通信部により外部装置から受信した取引データに対応付けられてカード画像記憶部に記憶されることが好ましい。
【００２１】
このような印刷装置によれば、カード媒体をカード搬送部にセットして搬送させ、そのカード媒体の画像を読み取り、カード画像データとして生成する。そして、生成されたカード画像データは、外部装置から受信した商取引の取引情報に関しての取引データと対応付けられてカード画像記憶部に記憶される。このため、カード媒体の情報は、画像データとして保管し、蓄積することができる。また、取引データと対応付けられるため、以後のデータ処理がし易くなり、取引データとカード画像データに関する処理がスピーディに行える。
したがって、例えば、クレジットカードによる決済の場合、クレジットカードを印刷装置のカード搬送部へセットして搬送させ、そのクレジットカードの画像を読み取ってカード画像データを生成する。そして、生成されたカード画像データを、例えば、その商取引における取引データを構成するクレジットカード番号および日時のデータに対応付けて記憶させる。
これにより、クレジットカード番号および日時のデータを元に、該当する商取引で用いられたクレジットカードに対しての画像データを容易にかつ迅速に検索することができる。また、クレジットカードに対しての画像データは印刷装置に記憶されることにより、画像データの印刷に関わる処理時間を短縮することができる。さらに、印刷装置に記憶されることで、印刷装置のクローズな環境の中で独自のデータ管理が行え、セキュリティの面で好ましい。また、印刷装置は独自なコマンド仕様を有し、かつ非公開にすることが可能であるため、さらにセキュリティを高めることができる。
【００２２】
上記印刷装置において、カード画像記憶部に記憶されたカード画像データを検索するカード画像検索部をさらに備え、印刷装置は、カード画像検索部により、通信部により外部装置から受信する取引データを構成する少なくとも１つのデータに基づき当該データに対応するカード画像データを検索し、カード画像検索部により検索されたカード画像データを、画像検索部により検索された画像データとともに通信部により外部装置に送信することおよびカード画像検索部により検索されたカード画像データを、画像検索部により検索された画像データとともに印刷部により印刷することのうち少なくとも１つを行うことが好ましい。
【００２３】
このような印刷装置によれば、取引データを構成するデータを受信し、そのデータに基づき、画像記憶部に記憶された画像データを検索するとともに、カード画像記憶部に記憶されたカード画像データを検索する。そして、検索された画像データおよびカード画像データを印刷装置で印刷させたり、外部装置へ送信して外部装置でこれらのデータを、例えば表示装置へ表示させたりする。これにより、例えば、取引データを構成するクレジットカード番号および日時のデータを元に、該当する商取引における紙媒体の画像および用いられたカード媒体の画像を確認することができる。
【００２４】
上述した目的を達成するために、本発明のＰＯＳシステムは、上記印刷装置と、上記印刷装置と接続されて用いられるＰＯＳ端末装置と、を備えたことを特徴とする。
【００２５】
このようなＰＯＳシステムによれば、連続紙へ印刷を行い、その印刷された連続紙が単票紙の形にカッティングされた紙媒体や別の印刷装置により印刷された同じ幅の紙媒体を、搬送部にセットして搬送させ、その紙媒体の画像を読み取り、画像データとして生成する。
このように、印刷装置により印刷された紙を、電子データの形式で保管することにより、紙に関わるコストを低減でき、さらに、紙で保管するのと比較して保管業務を簡素化でき、紙での保管において確保していた保管スペースを削減することもできる。
【００２６】
上述した目的を達成するために、本発明のＰＯＳシステムは、上記印刷装置と、上記印刷装置と接続されて用いられるＰＯＳ端末装置と、を備え、印刷装置は、ＰＯＳ端末装置とデータを送受信する第１通信部をさらに備え、ＰＯＳ端末装置は、商取引の取引情報を入力する入力装置と、入力装置により入力された取引情報に基づき取引データを生成する取引データ生成部と、取引データを記憶する取引記憶部と、印刷装置とデータを送受信する第２通信部と、第１通信部から第２通信部に送信された画像データを記憶する画像記憶部と、データを出力する出力部と、を備え、画像データは、取引データに対応付けられて画像記憶部に記憶されることを特徴とする。
【００２７】
このようなＰＯＳシステムによれば、印刷装置からＰＯＳ端末装置に送信された画像データは、ＰＯＳ端末装置において、入力装置により入力された商取引の取引情報に関しての取引データと対応付けられて画像記憶部に記憶される。このため、紙媒体の情報は、画像データとして保管し、蓄積することができる。また、取引データと対応付けられるため、以後のデータ処理がし易くなり、取引データと画像データに関する処理がスピーディに行える。
したがって、例えば、クレジットカードによる決済の場合、印刷装置において、レシートの画像を読み取って画像データを生成し、生成された画像データをＰＯＳ端末装置へ送信する。次に、ＰＯＳ端末装置において、印刷装置から送信された画像データを受信し、受信した画像データを、例えば、その商取引における取引データを構成するクレジットカード番号および日時のデータに対応付けて記憶させる。これにより、ＰＯＳ端末装置において、クレジットカード番号および日時のデータを元に、該当する商取引で発行されたレシートに対しての画像データを容易にかつ迅速に検索することができる。
【００２８】
上記ＰＯＳシステムにおいて、ＰＯＳ端末装置は、画像記憶部に記憶された画像データを検索する画像検索部をさらに備え、ＰＯＳ端末装置は、画像検索部により、取引データを構成する少なくとも１つのデータに基づき当該データに対応する画像データを検索し、画像検索部により検索された画像データを出力部により出力することおよび画像検索部により検索された画像データを、第２通信部から第１通信部に送信し、印刷部により印刷することのうち少なくとも１つを行うことが好ましい。
【００２９】
このようなＰＯＳシステムによれば、ＰＯＳ端末装置において、取引データを構成するデータに基づき、画像記憶部に記憶された画像データを検索する。そして、検索された画像データを、例えば表示装置へ表示させたり、印刷装置で印刷させたりする。これにより、取引データを構成するデータに対応する商取引における紙媒体の画像を確認することができる。
したがって、例えば、クレジットカードによる決済の場合、ＰＯＳ端末装置において、例えば、取引データを構成するクレジットカード番号および日時のデータを入力し、そのデータを元に該当する画像データを検索する。検索された画像データは、ＰＯＳ端末装置の表示装置へ表示させたり、印刷装置で印刷させる。これにより、入力されたクレジットカード番号および日時に該当する商取引におけるレシートの画像を確認できる。
また、ここで、最初にクレジットカード番号を入力し、該当する画像データを検索した結果、複数の商取引についての画像データが対象となった場合、次に日時を入力し、最初に検索された複数の商取引についての画像データからさらに絞込みの検索を行うことができる。
【００３０】
上記ＰＯＳシステムにおいて、ＰＯＳ端末装置は、取引記憶部に記憶された取引データを検索する取引検索部をさらに備え、ＰＯＳ端末装置は、取引検索部により、取引データ生成部により生成される取引データを構成する少なくとも１つのデータに基づき当該データに対応する取引データを検索し、取引検索部により検索された取引データを、画像検索部により検索された画像データとともに出力部により出力することおよび取引検索部により検索された取引データを、画像検索部により検索された画像データとともに第２通信部から第１通信部に送信し、印刷部により印刷することのうち少なくとも１つを行うことが好ましい。
【００３１】
このようなＰＯＳシステムによれば、ＰＯＳ端末装置において、取引データを構成するデータに基づき、画像記憶部に記憶された画像データを検索するとともに、取引記憶部に記憶された取引データを検索する。そして、検索された画像データおよび取引データを、例えば表示装置へ表示させたり、印刷装置で印刷させたりする。これにより、例えば、取引データを構成するクレジットカード番号および日時のデータを元に、該当する商取引における紙媒体の画像および取引情報を確認することができる。
【００３２】
上記ＰＯＳシステムにおいて、印刷装置は、カード媒体が搬送されるカード搬送部と、カード搬送部を搬送されるカード媒体の画像を読み取るカード画像読取部と、カード画像読取部の読み取り結果に基づきカード画像データを生成するカード画像データ生成部と、をさらに備え、ＰＯＳ端末装置は、第１通信部から第２通信部に送信されたカード画像データを記憶するカード画像記憶部をさらに備え、カード画像データは、取引データに対応付けられてカード画像記憶部に記憶されることが好ましい。
【００３３】
このようなＰＯＳシステムによれば、印刷装置において、カード媒体をカード搬送部にセットして搬送させ、そのカード媒体の画像を読み取り、カード画像データとして生成する。そして、生成されたカード画像データは、印刷装置からＰＯＳ端末装置へ送信され、ＰＯＳ端末装置において、商取引の取引情報に関しての取引データと対応付けられてカード画像記憶部に記憶される。このため、カード媒体の情報は、画像データとして保管し、蓄積することができる。また、取引データと対応付けられるため、以後のデータ処理がし易くなり、取引データとカード画像データに関する処理がスピーディに行える。
したがって、例えば、クレジットカードによる決済の場合、印刷装置において、クレジットカードをカード搬送部へセットして搬送させ、そのクレジットカードの画像を読み取ってカード画像データを生成する。そして、生成されたカード画像データをＰＯＳ端末装置へ送信する。次に、ＰＯＳ端末装置において、印刷装置から送信されたカード画像データを受信し、受信したカード画像データを、例えば、その商取引における取引データを構成するクレジットカード番号および日時のデータに対応付けて記憶させる。
これにより、ＰＯＳ端末装置において、クレジットカード番号および日時のデータを元に、該当する商取引で用いられたクレジットカードに対しての画像データを容易にかつ迅速に検索することができる。
【００３４】
上記ＰＯＳシステムにおいて、ＰＯＳ端末装置は、カード画像記憶部に記憶されたカード画像データを検索するカード画像検索部をさらに備え、ＰＯＳ端末装置は、カード画像検索部により、取引データ生成部により生成される取引データを構成する少なくとも１つのデータに基づき当該データに対応するカード画像データを検索し、カード画像検索部により検索されたカード画像データを、画像検索部により検索された画像データとともに出力部により出力することおよびカード画像検索部により検索されたカード画像データを、画像検索部により検索された画像データとともに第２通信部から第１通信部に送信し、印刷部により印刷することのうち少なくとも１つを行うことが好ましい。
【００３５】
このようなＰＯＳシステムによれば、ＰＯＳ端末装置において、取引データを構成するデータに基づき、画像記憶部に記憶された画像データを検索するとともに、カード画像記憶部に記憶されたカード画像データを検索する。そして、検索された画像データおよびカード画像データを、例えば表示装置へ表示させたり、印刷装置で印刷させたりする。これにより、例えば、取引データを構成するクレジットカード番号および日時のデータを元に、該当する商取引における紙媒体の画像および用いられたカード媒体の画像を確認することができる。
【発明を実施するための最良の形態】
【００３６】
以下、本発明の実施形態を図面に基づいて説明する。
（第１の実施形態）
【００３７】
図１は、ＰＯＳシステムの構成を示す図である。図１を用いて、ＰＯＳシステムの構成を説明する。
【００３８】
図１に示すように、ＰＯＳシステム１は、ＰＯＳ端末装置８０と、印刷装置１０とによって構成されている。ＰＯＳ端末装置８０は、ネットワーク７５を介して、ＰＯＳサーバ５と、与信照会サーバ６とに接続されている。
【００３９】
ＰＯＳサーバ５は、複数のＰＯＳシステム１（３つのみ図示）と接続され、ＰＯＳ端末装置８０に入力された商品情報や在庫情報の一括管理を行っている。具体的には、後述のキーボード８２やバーコードリーダ８３により、ＰＯＳ端末装置８０に入力された商品情報を取得し、これに基づいて予め記憶している商品マスタから商品名や金額に関する情報を抽出する。そして、抽出した情報から商品データを生成し、ＰＯＳ端末装置８０に送信する。
【００４０】
与信照会サーバ６は、クレジットカードの与信照会を行うためのサーバであり、カード会社やクリアリングハウス（複数のカード会社と契約して、信用調査、与信調査を行う機関）により運営される。与信照会サーバ６は、印刷装置１０に内蔵された後述の磁気データ読取機構部によって読み取られたクレジットカードのカード情報（カード番号、カード名義人の氏名および有効期限の情報）に基づいて、紛失届や盗難届が出されていないか等の信用調査を行い、与信審査の結果をＰＯＳ端末装置８０に返信する。
【００４１】
ＰＯＳ端末装置８０は、本体ケース８１と、入力装置としてのキーボード８２およびバーコードリーダ８３と、出力部としてのディスプレイ８４と、キャッシュドロア８５とを備えている。
キーボード８２は、商取引に関してのデータ入力に使用される。バーコードリーダ８３は、商品に添付または印刷されているバーコードを読み取ることにより商品コードを入力する。ディスプレイ８４には、キーボード８２やバーコードリーダ８３から入力された商品情報、印刷装置１０により読み取られたスリップ紙の画像やカードの画像等が表示される。キャッシュドロア８５には、金銭（キャッシュ）が収納される。
【００４２】
図２は、印刷装置の外観斜視図である。本実施形態の印刷装置１０は、連続用紙としてのロール紙と単票用紙としてのスリップ紙（印刷された当該ロール紙が切断されたものを含む）との双方へ印刷が可能であり、かつ、スリップ紙およびカードの表面の画像の読み取りと、カードに記録された磁気データの読み取りとが可能である。すなわち、印刷装置１０は、印刷機構部と、画像読取機構部と、磁気データ読取機構部とが一体化した印刷装置である。図２を用いて、印刷装置１０の構成および動作を説明する。
【００４３】
図２に示すように、印刷装置１０は、側面背面側筐体部１１と、側面背面側筐体部１１の正面側に設けられる正面側筐体部１２と、側面背面側筐体部１１の上面側を覆うように取り付けられる上面蓋体部１３とが一体に形成されて構成されている。正面側筐体部１２は、スリップ紙搬送路２１を介して側面背面側筐体部１１から隔てられた正面側下部１２ａと、正面側下部１２ａの上面側を覆う正面側カバー１２ｂと、正面側下部１２ａと正面側カバー１２ｂとを片支持状態で保持する正面側側部１２ｃとから構成されている。
【００４４】
筐体１１ａは、内部に連続紙としてのロール紙が収納され、側面背面側筐体部１１は、内部にこのロール紙への印刷を行う印刷部としての印刷機構部等を備える。
ロール紙は、筐体１１ａと上面カバー１３ａとの間に開口したロール紙排出口３５ａから排出される。
搬送部としてのスリップ紙搬送路２１には、紙媒体であるスリップ紙が搬送される。スリップ紙は、印刷装置１０の正面側であって、かつ筐体１１ａと正面側下部１２ａとの間に開口したスリップ紙挿入口２１ａから挿入され、スリップ紙排出口２１ｂから排出される。
スリップ紙搬送路２１のスリップ紙挿入口２１ａ部分には、挿入されるスリップ紙の幅に合わせて位置決めする、幅方向に可動可能である可動式のガイド部としての用紙ガイド１４が設けられている。なお、印刷装置１０の機構を簡素化するために、用紙ガイド１４をスリップ紙挿入口２１ａ部分から除いても良い。
上面蓋体部１３は、カードに記録された磁気データを読み取るカードデータ読取機構部やカードの表面の画像を読み取るカード画像読取機構部等を収納し、カード等の媒体はカード挿入口４１ａから挿入される。
【００４５】
図３は、スリップ紙搬送部分を示す断面図である。図３を用いて、スリップ紙搬送部分の構成および動作を説明する。
【００４６】
図３に示すように、スリップ紙搬送部は、スリップ紙搬送路２１に沿って、スリップ紙挿入口２１ａから順に、スリップ紙後端センサ２８ａ、挿入口サブスリップ送りローラ２２ａ、サブスリップ送りローラ２２ａとスリップ紙搬送路２１を挟んで対向配置されたサブスリップ押さえローラ２２ｂ、スリップ紙先端センサ２８ｂ、裏面印刷部２３とで構成される。裏面印刷部２３は、印刷部２３ａおよび印刷部２３ａとスリップ紙搬送路２１を挟んで対向配置されたプラテンローラ２３ｂから構成されている。
さらに、スリップ紙搬送部は、スリップ紙搬送路２１に沿って、スリップ送りローラ２４ａ、スリップ送りローラ２４ａとスリップ紙搬送路２１を挟んで対向配置されたサブスリップ押さえローラ２４ｂ、表面印刷部２５、排出検出器２９、スリップ紙Ｓの表面側に配置される画像読み取り部としてのスリップ紙画像読取センサ２６、スリップ紙画像読取センサ２６のスリップ紙搬送路２１を挟んだ対向面側に配置される押し付けローラ２７およびスリップ紙排出口２１ｂで構成される。
表面印刷部２５は、スリップ紙Ｓの表面側に配置されたシリアルインパクトドットマトリクス方式の印刷部２５ａおよび印刷部２５ａとスリップ紙搬送路２１を挟んで対向配置されたプラテン２５ｂから構成されている。ここで、スリップ紙画像読取センサ２６は、ＣＩＳ(Contact Image Sensor)タイプのイメージセンサ（スキャナ）を用いている。
【００４７】
スリップ紙搬送路２１に挿入されたスリップ紙Ｓは、サブスリップ送りローラ２２ａとサブスリップ押さえローラ２２ｂとの回転により搬送され、裏面印刷部２３に送られる。
裏面印刷部２３からさらに搬送されたスリップ紙Ｓは、スリップ送りローラ２４ａとサブスリップ押さえローラ２４ｂとの回転により搬送され表面印刷部２５に送られる。
表面印刷部２５からさらに搬送されたスリップ紙Ｓは、スリップ紙画像読取センサ２６に送られる。押し付けローラ２７は、押し付け部材２７ａによってスリップ紙画像読取センサ２６の読取面２６ａに向けてスリップ紙Ｓをスリップ紙厚に応じた所定の押圧力で押し付けている。スリップ紙画像読取センサ２６は、スリップ紙Ｓが押し付けローラ２７によって読取面２６ａに押し付けられた状態で、スリップ紙Ｓの表面の画像を１ラインずつ読み取り可能に構成されている。
スリップ紙画像読取センサ２６と押し付けローラ２７との間を通過したスリップ紙Ｓは、スリップ紙排出口２１ｂから排出される。
スリップ紙後端センサ２８ａおよびスリップ紙先端センサ２８ｂは、スリップ紙搬送路２１内でのスリップ紙Ｓの有無の確認、ならびに表面印刷部２５および裏面印刷部２３による印刷時の頭出し制御に用いられている。排出検出器２９は、スリップ紙搬送路２１からスリップ紙Ｓが排出されたかどうかを検出している。
【００４８】
図４は、印刷装置の部分断面図である。図４用いて、カード画像および磁気データの読取機構部の構成および動作を説明する。
【００４９】
図４に示すように、カード画像および磁気データの読取機構部は、上面カバー１３ａと、ロール紙収容部３０との間に設けられており、厚手の媒体であるカードＣをカード挿入口４１ａからカード搬送部としてのカード搬送路４１内に挿入し、カードＣの表面の画像および裏面に記憶された磁気データを読み取り可能に構成されている。
【００５０】
カード搬送路４１の上面側、すなわち上面カバー１３ａ側には、第１送りローラ４３ａ、カード画像読取部としてのカード画像読取センサ４４および第２送りローラ４６ａがカード搬送路４１に沿って配置されている。
一方、カード搬送路４１の下面側、すなわちロール紙収容部３０側には、第１押さえローラ４３ｂおよび第２押さえローラ４６ｂが、それぞれ第１送りローラ４３ａおよび第２送りローラ４６ａと対向する位置に配置され、磁気ヘッド５８および押しつけローラ４５が、カード画像読取センサ４４と対向する位置に配置されている。
第２送りローラ４６ａおよび第２押さえローラ４６ｂの下流側であって、カード搬送路４１と上面カバー１３ａとの交差する位置には、張出し開口４１ｂが開口している。
【００５１】
第１送りローラ４３ａおよび第１押さえローラ４３ｂならびに第２送りローラ４６ａおよび第２押さえローラ４６ｂは、カード搬送路４１内に挿入されたカードＣをカード搬送路４１に沿って前後に搬送可能である。
【００５２】
カード画像読取センサ４４は、カードＣの表面の画像を読み取るＣＩＳタイプのイメージセンサを用いている。カード画像読取センサ４４は、カードＣが、押しつけローラ４５によってカード画像読取センサ４４の読取面４４ａにカード厚に応じた所定の押圧力で押し付けられた状態で、カードＣの表面の画像を読み取る。
磁気ヘッド５８は、カードＣの裏面に設けられている磁気記憶部分に対応する位置に配置され、この磁気記憶部分に記憶された磁気データを読み取る。
張出し開口４１ｂは、カード搬送路４１内のカードＣが、第２送りローラ４６ａおよび第２押さえローラ４６ｂによってニップされた状態でカード搬送路４１の下流側に送り出されて、一時的に印刷装置１０の背面側から張り出すことを許容する。
【００５３】
カード挿入口４１ａから挿入されたカードＣは、第１送りローラ４３ａおよび第１押さえローラ４３ｂならびに第２送りローラ４６ａおよび第２押さえローラ４６ｂにより、カード挿入口４１ａ側から張出し開口４１ｂ側に向かって搬送され、搬送中に、磁気ヘッド５８によりカードの裏面に記憶された磁気データが読み取られる。そして、さらに張出し開口４１ｂ側に向かって搬送された後、第１送りローラ４３ａおよび第１押さえローラ４３ｂならびに第２送りローラ４６ａおよび第２押さえローラ４６ｂにより、今度は、逆方向であるカード挿入口４１ａ側に向かって搬送される。ここで、張出し開口４１ｂ側に向かって搬送中に磁気データの読み取りが正常に行われなかった場合、逆方向への搬送中に、カード画像読取センサ４４によりカードの表面の画像が読み取られる。
【００５４】
次に、図４を用いて、ロール紙の印刷機構部の構成および動作を説明する。
【００５５】
図４に示すように、ロール紙Ｒは、巻回された状態でロール紙収容部３０に収容され、背面側筐体部１１と上面蓋体部１３との間にはロール紙搬送路３５が形成されている。
【００５６】
ロール紙搬送路３５には、サーマル印刷ヘッド３３およびこれを押圧するプラテンローラ３２が配置されている。サーマル印刷ヘッド３３およびプラテンローラ３２の上方には、オートカッタ３４が配置されている。オートカッタ３４は、固定刃３４ａと、固定刃３４ａとロール紙搬送路３５を挟んで対抗配置された可動刃３４ｂとを有している。
【００５７】
ロール紙収容部３０から繰り出されたロール紙Ｒは、プラテンローラ３２の回転によりロール紙搬送路３５に沿って搬送され、サーマル印刷ヘッド３３により印刷が行われる。印刷後のロール紙Ｒは、オートカッタ３４によって適当な長さに切断され、ロール紙排出口３５ａから排出される。
【００５８】
一方、上面蓋体部１３の下部には、主要骨格を成すフレーム５１が設けられ、フレーム５１は、ヒンジ部５２を介して側面背面側筐体部１１に設けられた固定部５３に対して回動可能に構成されている。
これにより上面蓋体部１３がロール紙収容部３０に対して開閉動作可能に構成され、ロール紙Ｒの交換時は、上面蓋体部１３が開かれて、巻回された状態のロール紙Ｒがロール紙収容部３０に投入されることにより装填される。
【００５９】
図５は、ＰＯＳシステムの制御ブロック図である。図５を用いて、ＰＯＳシステム１の制御構成部について説明する。
【００６０】
図５に示すように、ＰＯＳシステム１の制御構成部は、ＰＯＳ端末装置８０の制御構成部と印刷装置１０の制御構成部とから構成される。
【００６１】
ＰＯＳ端末装置８０は、キーボード８２、バーコードリーダ８３およびディスプレイ８４の各装置を備えている。
ＰＯＳ端末装置８０が備えるＰＯＳ端末制御部８０ｃは、キーボード制御部８２ｃ、バーコードリーダ制御部８３ｃ、ディスプレイ制御部８４ｃ、ＣＰＵ（Central Processing Unit）９０、ＲＡＭ（Random Access Memory）９１、ＲＯＭ（Read Only Memory）９２、ハードディスク９３、入出力インタフェース９４、サーバインタフェース９５およびデータバス９６を有している。
【００６２】
キーボード制御部８２ｃと、バーコードリーダ制御部８３ｃと、ディスプレイ制御部８４ｃと、ＣＰＵ９０と、ＲＡＭ９１と、ＲＯＭ９２と、ハードディスク９３と、入出力インタフェース９４と、サーバインタフェース９５とはデータバス９６を介して互いに接続されている。
キーボード８２、バーコードリーダ８３およびディスプレイ８４の各装置は、上記した各装置の制御部とデータバス９６を介してＣＰＵ９０に接続されている。
【００６３】
ＰＯＳ端末制御部８０ｃは、ＰＯＳ端末装置８０の各部の動作を統括管理する。キーボード制御部８２ｃは、キーボード８２に対して商品情報の入力を受け付ける制御を行う。バーコードリーダ制御部８３ｃは、バーコードリーダ８３に対してバーコードを読み取る制御を行う。ディスプレイ制御部８４ｃは、ディスプレイ８４に対して商品情報等を表示する制御を行う。ＣＰＵ９０は、演算処理等を行う。ＲＡＭ９１は、各種データを一時的に記憶する。ＲＯＭ９２には、書き換える必要のない各種プログラムおよび各種データが記憶されている。ハードディスク９３は、各種プログラムおよび各種データを記憶する。入出力インタフェース９４は、第２通信部として印刷装置１０と接続するためのものである。サーバインタフェース９５は、ＰＯＳサーバ５および与信照会サーバ６と接続するためのものである。
【００６４】
一方、印刷装置１０は、ロール紙印刷機構部１１０、スリップ紙搬送路２１の裏面印刷部２３および表面印刷部２５等により構成されるスリップ紙印刷機構部１１１、スリップ紙画像読取センサ２６等により構成されるスリップ紙画像読取機構部１１２、磁気ヘッド５８等により構成されるカード磁気データ読取機構部１１３およびカード画像読取センサ４４等により構成されるカード画像読取機構部１１４の各装置を備えている。
印刷装置１０が備える印刷制御部１０ｃは、ロール紙印刷制御部１１０ｃ、スリップ紙印刷制御部１１１ｃ、スリップ紙画像読取制御部１１２ｃ、カード磁気データ読取制御部１１３ｃ、カード画像読取制御部１１４ｃ、ＣＰＵ１００、ＲＡＭ１０１、フラッシュＲＯＭ１０２、入出力インタフェース１０３およびデータバス１０４を有している。
【００６５】
ロール紙印刷制御部１１０ｃと、スリップ紙印刷制御部１１１ｃと、スリップ紙画像読取制御部１１２ｃと、カード磁気データ読取制御部１１３ｃと、カード画像読取制御部１１４ｃと、ＣＰＵ１００と、ＲＡＭ１０１と、フラッシュＲＯＭ１０２と、入出力インタフェース１０３とは、データバス１０４を介して互いに接続されている。
ロール紙印刷機構部１１０、スリップ紙印刷機構部１１１、スリップ紙画像読取機構部１１２、カード磁気データ読取機構部１１３およびカード画像読取機構部１１４の各装置は、上記した各装置の制御部とデータバス１０４を介してＣＰＵ１００に接続されている。
【００６６】
印刷制御部１０ｃは、印刷装置１０の各部の動作を統括管理するものである。ロール紙印刷制御部１１０ｃは、ロール紙印刷機構部１１０に対してロール紙Ｒへの印刷の制御を行う。スリップ紙印刷制御部１１１ｃは、スリップ紙印刷機構部１１１に対してスリップ紙Ｓへの印刷の制御を行う。スリップ紙画像読取制御部１１２ｃは、スリップ紙画像読取機構部１１２に対してスリップ紙Ｓの表面の画像を読み取る制御を行う。カード磁気データ読取制御部１１３ｃは、カード磁気データ読取機構部１１３に対してカードの裏面に記憶された磁気データを読み取る制御を行う。カード画像読取制御部１１４ｃは、カード画像読取機構部１１４に対してカードの表面の画像を読み取る制御を行う。ＣＰＵ１００は、演算処理等を行う。ＲＡＭ１０１は、各種データを一時的に記憶する。フラッシュＲＯＭ１０２は、不揮発性メモリであって、各種データを記憶し、記憶内容を自在に書き換えでき、電源が遮断されても記憶内容を保持することが可能である。入出力インタフェース１０３は、通信部および第１通信部として外部装置としてのＰＯＳ端末装置８０と接続するためのものである。
【００６７】
フラッシュＲＯＭ１０２は、取引データ領域１０２ａ、スリップ紙画像データ領域１０２ｂおよびカード画像データ領域１０２ｃを有している。
取引データ領域１０２ａは、取引記憶部として商取引に関する取引データが記憶される。スリップ紙画像データ領域１０２ｂは、画像記憶部としてスリップ紙Ｓの表面の画像に対する画像データが記憶される。カード画像データ領域１０２ｃは、カード画像記憶部としてカードＣの表面の画像に対する画像データが記憶される。
【００６８】
図６は、取引関連データを印刷装置に記憶する処理を示すフローチャートである。図７は、レシート印刷内容のサンプルである。図６および図７を用いて、取引関連データとなるレシート画像データ、取引データおよびカード画像データを印刷装置１０に記憶する処理について説明する。
なお、図６に示すフローチャートは、商取引の決済がクレジットカード等により行われる場合に該当し、現金等により行われる場合は該当しない。また、図６に示すフローチャートの各ステップにおける動作は、ＰＯＳ端末装置８０の場合はＣＰＵ９０の制御により実行され、印刷装置１０の場合はＣＰＵ１００の制御により実行される。
【００６９】
まず、ＰＯＳ端末装置８０において処理が開始され、ステップＳ２０１では、取引客が商品を購入する等の商取引にともない、オペレータによりＰＯＳ端末装置８０が備えるバーコードリーダ８３およびキーボード８２から商品内容および売上個数等の売上情報が入力される。
【００７０】
次に、ステップＳ２０２では、印刷装置１０に対してクレジットカードの裏面に記憶された磁気データの読み取りを指示するために、カード読取コマンドを印刷装置１０に送信する。
【００７１】
次に、印刷装置１０へ処理が移行し、ステップＳ２０３では、ステップＳ２０２においてＰＯＳ端末装置８０から送信されたカード読取コマンドを受信する。
【００７２】
次に、ステップＳ２０４では、オペレータにより印刷装置１０のカード挿入口４１ａにクレジットカードが挿入されると、クレジットカードを張出し開口４１ｂ側に向かって搬送させ、クレジットカードの裏面に記憶されたカード磁気データの読み取りを行う。
【００７３】
次に、ステップＳ２０５では、ステップＳ２０４において磁気データの読み取りが正常に行われたか否かを判定する。正常に行われた場合（ＹＥＳ）は、ステップＳ２０７へ移行する。クレジットカードの裏面に設けられた磁気記憶部分の損傷等により、磁気データの読み取りが正常に行えなかった場合（ＮＯ）は、ステップＳ２０６へ移行する。
【００７４】
ステップＳ２０６では、カード搬送路４１上にあるクレジットカードを、磁気データの読み取りの際の搬送方向とは逆に、カード挿入口４１ａに向かって搬送させ、クレジットカードの表面の画像の読み取りを行う。そして、この読み取り結果に基づいてカード画像データを生成し、ステップＳ２０７へ移行する。
【００７５】
ステップＳ２０７では、ステップＳ２０４における磁気データの読み取り結果に応じたデータを、読取結果データとしてＰＯＳ端末装置８０に送信する。ここで、送信する読取結果データは、磁気データの読み取りが正常に行われたか否かの識別データと、正常に行われた際にステップＳ２０４において読み取られたカード磁気データとで構成される。
【００７６】
次に、ＰＯＳ端末装置８０へ処理が移行し、ステップＳ２０８では、印刷装置１０から送信された読取結果データを受信する。
【００７７】
次に、ステップＳ２０９では、ステップＳ２０８において受信した読取結果データを構成する識別データに基づいて、クレジットカードの磁気データの読み取りが正常に行われたか否かを判定する。正常に行われた場合（ＹＥＳ）は、ステップＳ２１１へ移行する。そうでない場合（ＮＯ）は、ステップＳ２１０へ移行する。
【００７８】
ステップＳ２１０では、印刷装置１０においてクレジットカードの裏面に記憶された磁気データの読み取りができないため、オペレータの入力操作により、キーボード８２からクレジットカードの情報が入力される。クレジットカードの情報が入力されたら、ステップＳ２１１へ移行する。
【００７９】
ステップＳ２１１では、ステップＳ２０８において受信した読取結果データを構成するカード磁気データもしくはステップＳ２１０において入力されたクレジットカード情報に基づくデータを与信照会サーバ６に送信し、与信照会を行う。
【００８０】
次に、ステップＳ２１２では、ステップＳ２１１において与信照会を行った結果、クレジットカードによる決済が可能（ＹＥＳ）であれば、ステップＳ２１４へ移行する。そうでない場合（ＮＯ）は、クレジットカードは使用不可のため、ステップＳ２１３へ移行してクレジットカードでの決済を中止する。
【００８１】
次に、ステップＳ２１４では、ステップＳ２０１において入力された売上情報、およびステップＳ２０８において受信したカード磁気データもしくはステップＳ２１０において入力されたクレジットカード情報等から取引データを生成し、レシート印刷を指示する印刷コマンドとともに印刷装置１０に送信する。
ここで、生成される取引データは、例えば、取引客が商品を購入した日付・時刻、担当オペレータの識別、商品名、単価、売上個数、クレジットカード番号およびクレジットカード有効期限等の情報で構成される。
ＰＯＳ端末装置８０における処理は、これで終了する。
【００８２】
次に、印刷装置１０へ処理が移行し、ステップＳ２１５では、ＰＯＳ端末装置８０から送信された取引データおよび印刷コマンドを受信する。
【００８３】
次に、ステップＳ２１６では、ステップＳ２１５において受信した取引データおよび印刷コマンドに基づいて、ロール紙Ｒにレシートを印刷する。印刷されたレシートは、切断されてロール紙排出口３５ａから排出される。
ここで、本実施形態では、図７に示すレシートＲ１０が、ロール紙排出口３５ａから排出される。レシートＲ１０には、店舗情報欄Ｒ１１、精算日・購入者名・取引明細欄Ｒ１２、支払合計金額欄Ｒ１３、署名欄Ｒ１４および伝票番号・担当者番号欄Ｒ１５が記載されている。オペレータは、このレシートＲ１０を取引客に渡し、取引客に署名欄Ｒ１４への署名を依頼する。取引客は、レシートＲ１０に記載された内容を確認して了承した場合、ペン等を用いて署名欄Ｒ１４へ署名を行う。
【００８４】
次に、ステップＳ２１７では、ステップＳ２１５において受信した取引データを、フラッシュＲＯＭ１０２に確保された取引データ領域１０２ａに記憶する。
【００８５】
次に、ステップＳ２１８では、Ｓ２０６において生成されたカード画像データを、ステップＳ２１７において記憶された取引データと対応付けて、フラッシュＲＯＭ１０２に確保されたカード画像データ領域１０２ｃに記憶する。なお、ステップＳ２０４において、磁気データの読み取りが正常に行われた場合は、カード画像データは生成されていないので本処理は行わない。
【００８６】
次に、ステップＳ２１９では、ステップＳ２１６において印刷され、その後、取引客により署名されたレシートＲ１０が、オペレータにより、印刷装置１０のスリップ紙挿入口２１ａから挿入されると、レシートＲ１０をスリップ紙排出口２１ｂへ向けて搬送させ、スリップ紙画像読取センサ２６によりレシートＲ１０の表面の画像の読み取りを行う。そして、この読み取り結果に基づいてレシート画像データを生成する。
【００８７】
次に、ステップＳ２２０では、ステップＳ２１９において生成されたレシート画像データを、ステップＳ２１７において記憶された取引データと対応付けて、フラッシュＲＯＭ１０２に確保されたスリップ紙画像データ領域１０２ｂに記憶する。
印刷装置１０における処理は、これで終了する。
【００８８】
本実施形態では、ステップＳ２１８におけるカード画像データと取引データとの対応付けおよびステップＳ２２０におけるレシート画像データと取引データとの対応付けの方法は、取引データを構成する一部のデータを、カード画像データおよびレシート画像データに付与することにより行っている。具体的には、取引データの一部のデータである日時、商取引毎の番号となる伝票番号およびクレジットカード番号のデータを付与している。なお、これらのデータの対応付けは、別の方法により行っても良い。
【００８９】
図８は、印刷装置に記憶された取引関連データを確認する処理を示すフローチャートである。図８を用いて、印刷装置１０に記憶された、取引関連データとなるレシート画像データ、取引データおよびカード画像データを確認する処理について説明する。なお、図８に示すフローチャートの各ステップにおける動作は、ＰＯＳ端末装置８０の場合はＣＰＵ９０の制御により実行され、印刷装置１０の場合はＣＰＵ１００の制御により実行される。
【００９０】
まず、ＰＯＳ端末装置８０において処理が開始され、ステップＳ３０１では、オペレータにより、レシート画像データ、取引データおよびカード画像データに対して、検索を行うための検索指示情報がキーボード８２から入力される。そして、入力された検索指示情報に基づいて検索指示データを作成する。
ここで、本実施形態では、オペレータにより、検索指示情報として、レシート画像データ、取引データおよびカード画像データの中からどのデータを検索対象にするかのデータ種類と、日時、伝票番号およびクレジットカード番号のうち少なくとも１つを検索項目にした検索キーワードとが入力される。なお、入力されるデータ種類は、例えばレシート画像データと取引データとを検索対象にするなど、複数のデータを対象にできる。
【００９１】
次に、ステップＳ３０２では、ステップＳ３０１において生成された検索指示データを印刷装置１０に送信する。
【００９２】
次に、印刷装置１０へ処理が移行し、ステップＳ３０３では、ＰＯＳ端末装置８０から送信された検索指示データを受信する。
【００９３】
次に、ステップＳ３０４では、ステップＳ３０３において受信した検索指示データを構成するデータ種別および検索キーワードのデータに基づいて、レシート画像データや取引データやカード画像データに対して検索を行う。
【００９４】
次に、ステップＳ３０５では、ステップＳ３０４において検索されたレシート画像データや取引データやカード画像データから構成される検索データを、ＰＯＳ端末装置８０に送信する。
【００９５】
次に、ＰＯＳ端末装置８０へ処理が移行し、ステップＳ３０６では、印刷装置１０から送信された検索データを受信する。
【００９６】
次に、ステップＳ３０７では、ステップＳ３０６において受信した検索データに基づいて、レシート画像や取引情報やカード画像をディスプレイ８４に表示する。
【００９７】
次に、ステップＳ３０８では、キーボード８２からの入力により、検索データを印刷する指示を受け付けた場合（ＹＥＳ）は、ステップＳ３０９において、印刷装置１０へ印刷指示コマンドを送信する。そうでない場合（ＮＯ）またはステップＳ３０９における送信処理が終了したら、ＰＯＳ端末装置８０における処理は、これで終了する。
【００９８】
次に、印刷装置１０へ処理が移行し、ステップＳ３１０では、ＰＯＳ端末装置８０から印刷コマンドを受信する。
【００９９】
次に、ステップＳ３１１では、ステップＳ３０４において検索された検索データに基づいて、レシート画像や取引情報やカード画像をロール紙Ｒに印刷する。
印刷装置１０における処理は、これで終了する。
【０１００】
なお、本実施形態では、ステップＳ３０４において検索されたデータを、ＰＯＳ端末装置８０に送信して表示させた後、印刷装置１０において印刷する例を示したが、表示および印刷に関しては、これに限定されるものではない。例えば、ステップＳ３０４においてデータ検索後、続けて検索されたデータを印刷するとか、ＰＯＳ端末装置８０において、検索されたデータの表示を省略するなどしても良い。
また、ＰＯＳ端末装置８０において、検索されたデータを表示させた後、検索されたデータから、さらに絞込みの検索を行うために、キーボード８２から絞込み検索用の検索指示情報の入力を受け付ける等しても良い。
【０１０１】
なお、画像データ生成部は、ＣＰＵ１００が、図６のフローチャートのＳ２１９を実行することにより構築される。請求項５に記載の画像検索部、請求項７に記載の取引検索部および請求項９に記載のカード画像検索部は、ＣＰＵ１００が、図８のフローチャートのＳ３０４を実行することにより構築される。請求項８に記載のカード画像データ生成部は、ＣＰＵ１００が、図６のフローチャートのＳ２０６を実行することにより構築される。
【０１０２】
上述した、第１の実施形態によれば以下の効果が得られる。
（１）本実施形態のＰＯＳシステム１によれば、印刷装置１０において印刷され、その後、取引客により署名されたレシートＲ１０の画像の読み取りを行い、読み取り結果に基づいてレシート画像データを生成する。生成されたレシート画像データは、その商取引における取引データを構成する例えば日時、伝票番号、クレジットカード番号のデータに対応付けられて、取引データとともに、フラッシュＲＯＭ１０２に記憶される。
これにより、店舗等において保管が必要な署名入りのレシートＲ１０を、電子データの形式で印刷装置１０が備えるフラッシュＲＯＭ１０２に蓄積してデータを管理することができる。
また、フラッシュＲＯＭ１０２に記憶されたレシート画像データを検索し、署名入りのレシートＲ１０の記載内容を確認する場合、オペレータは、キーボード８２から、取引情報を構成する情報をキーワード入力することにより、容易にかつ迅速に検索して出力できる。
例えば、過去の商取引における署名入りのレシートＲ１０の記載内容を確認したい場合、キーボード８２から、日時、伝票番号を入力して、該当するレシート画像データを検索できる。日時、伝票番号が不明な場合は、クレジットカード番号を入力することにより、そのクレジットカード番号に該当するレシート画像データを検索できる。そして、検索されたレシート画像データに基づいて、署名入りのレシートＲ１０の画像をＰＯＳ端末装置８０に備えたディスプレイ８４に表示させたり、印刷装置１０にセットされたロール紙Ｒに印刷して確認することができる。
さらに、レシート画像データを検索するとともに、フラッシュＲＯＭ１０２に記憶された取引データを検索することにより、レシートＲ１０の画像に加えて、その商取引における取引情報も合わせて確認することができる。
（２）本実施形態のＰＯＳシステム１によれば、クレジットカードに記憶された磁気データの読み取りが正常に行えなかった場合、クレジットカードの表面の画像の読み取りを行い、読み取り結果に基づいてカード画像データを生成する。生成されたカード画像データは、その商取引における取引データに対応付けられて、フラッシュＲＯＭ１０２に記憶される。
これにより、磁気データの読み取りが正常に行えなかった場合、オペレータにより、キーボード８２からクレジットカード番号が正しく入力されたか否かを、そのとき用いたクレジットカードの画像を確認することにより検証できる。また、カード画像データは、取引データと対応付けられて記憶されていることにより、オペレータは、キーボード８２から、取引情報を構成する情報をキーワード入力することにより、容易にかつ迅速に検索して出力できる。
さらに、カード画像とともに、その商取引におけるレシート画像、取引情報も確認できることにより、商取引の詳細にいたるまで、さらに確実に検証することができる。
（３）本実施形態の印刷装置１０によれば、取引データ、レシート画像データおよびカード画像データを、印刷装置１０に備えたフラッシュＲＯＭ１０２に記憶している。印刷装置１０に備えたフラッシュＲＯＭ１０２に記憶することにより、それぞれのデータの印刷に関わる処理時間を短縮することができる。さらに、印刷装置１０に記憶されることで、印刷装置１０のクローズな環境の中で独自のデータ管理が行え、セキュリティの面で好ましい。また、印刷装置１０は独自なコマンド仕様を有し、かつ非公開にすることが可能であるため、さらにセキュリティを高めることができる。
（４）本実施形態の印刷装置１０によれば、スリップ紙搬送路２１のスリップ紙挿入口２１ａ部分に、挿入されるスリップ紙Ｓの幅に合わせて位置決めし、幅方向に可動式である用紙ガイド１４が設けられている。種々の幅のスリップ紙Ｓが、スリップ紙挿入口２１ａ部分に挿入された場合、挿入されたスリップ紙Ｓの幅に合わせて用紙ガイド１４を位置決めすることにより、スリップ紙Ｓを、スリップ紙搬送路２１に対して傾きのない状態で挿入させることが容易になる。このため、スリップ紙Ｓを、傾きのない状態で搬送させることができ、傾きのないスリップ紙Ｓの画像の読み取りが可能になる。また、スリップ紙Ｓを傾いた状態で搬送させたときに生じるスリップ紙搬送路２１内での紙詰まり等も防止できる。
（５）本実施形態の印刷装置１０によれば、スリップ紙搬送路２１に沿って、スリップ紙後端センサ２８ａおよびスリップ紙先端センサ２８ｂが設けられている。これにより、スリップ紙挿入口２１ａ部分から挿入されたスリップ紙Ｓの搬送方向長さを検出することができ、実際にセットされたスリップ紙Ｓの長さに対応した画像データを生成することができる。このため、種々の長さのレシートＲ１０を挿入した場合、そのレシートＲ１０の長さに対応したレシート画像データが生成され、不要なデータ部分を含まない最適容量のレシート画像データとすることができる。
（第２の実施形態）
【０１０３】
第１の実施形態は、商取引に関する取引データ、スリップ紙Ｓの表面の画像に対する画像データおよびカードの表面の画像に対する画像データを、印刷装置１０に備えたフラッシュＲＯＭ１０２に記憶する形態である。第２の実施形態は、ＰＯＳ端末装置８０に備えたハードディスク９３に、それらのデータを記憶する形態である。
【０１０４】
図９は、第２の実施形態におけるＰＯＳシステムの制御ブロック図である。図９を用いて、第２の実施形態におけるＰＯＳシステム１の制御構成部について説明する。
【０１０５】
図９に示すように、第１の実施形態とは異なり、ＰＯＳ端末装置８０が備えるハードディスク９３に、取引データ領域９３ａ、スリップ紙画像データ領域９３ｂおよびカード画像データ領域９３ｃを有している。
取引データ領域９３ａは、取引記憶部として商取引に関する取引データが記憶される。スリップ紙画像データ領域９３ｂは、画像記憶部としてスリップ紙Ｓの表面の画像に対する画像データが記憶される。カード画像データ領域９３ｃは、カード画像記憶部としてカードＣの表面の画像に対する画像データが記憶される。
その他の構成は、第１の実施形態と同様であり、同様の構成には同様の番号を付記している。
【０１０６】
図１０は、取引関連データをＰＯＳ端末装置に記憶する処理を示すフローチャートである。図１０を用いて、取引関連データとなるレシート画像データ、取引データおよびカード画像データをＰＯＳ端末装置８０に記憶する処理について説明する。
なお、図１０に示すフローチャートは、商取引の決済がクレジットカード等により行われる場合に該当し、現金等により行われる場合は該当しない。また、図１０に示すフローチャートの各ステップにおける動作は、ＰＯＳ端末装置８０の場合はＣＰＵ９０の制御により実行され、印刷装置１０の場合はＣＰＵ１００の制御により実行される。
【０１０７】
まず、ＰＯＳ端末装置８０において処理が開始され、ステップＳ４０１〜Ｓ４０２の処理が実行される。なお、ステップＳ４０１〜Ｓ４０２の処理は、第１の実施形態におけるステップＳ２０１〜Ｓ２０２の処理と同様である。
【０１０８】
次に、印刷装置１０へ処理が移行し、ステップＳ４０３〜Ｓ４０６の処理が実行される。なお、ステップＳ４０３〜Ｓ４０６の処理は、第１の実施形態におけるステップＳ２０３〜Ｓ２０６の処理と同様である。
【０１０９】
ステップＳ４０７では、ステップＳ４０４における磁気データの読み取り結果に応じたデータを、読取結果データとしてＰＯＳ端末装置８０に送信する。ここで、送信する読取結果データは、磁気データの読み取りが正常に行われたか否かの識別データと、正常に行われた際にステップＳ４０４において読み取られたカード磁気データまたは正常に行われなかった際にステップＳ４０６において生成されたカード画像データとで構成される。
【０１１０】
次に、ＰＯＳ端末装置８０へ処理が移行し、ステップＳ４０８では、印刷装置１０から送信された読取結果データを受信する。
【０１１１】
次に、ステップＳ４０９では、ステップＳ４０８において受信した読取結果データを構成する識別データに基づいて、クレジットカードの磁気データの読み取りが正常に行われたか否かを判定する。正常に行われた場合（ＹＥＳ）は、ステップＳ４１１へ移行する。そうでない場合（ＮＯ）は、ステップＳ４１０へ移行する。
【０１１２】
ステップＳ４１０では、印刷装置１０においてクレジットカードの裏面に記憶された磁気データの読み取りができないため、オペレータの入力操作により、キーボード８２からクレジットカードの情報が入力される。クレジットカードの情報が入力されたら、ステップＳ４１１へ移行する。
【０１１３】
ステップＳ４１１では、ステップＳ４０８において受信した読取結果データを構成するカード磁気データもしくはステップＳ４１０において入力されたクレジットカード情報に基づくデータを与信照会サーバ６に送信し、与信照会を行う。
【０１１４】
次に、ステップＳ４１２では、ステップＳ４１１において与信照会を行った結果、クレジットカードによる決済が可能（ＹＥＳ）であれば、ステップＳ４１４へ移行する。そうでない場合（ＮＯ）は、クレジットカードは使用不可のため、ステップＳ４１３へ移行してクレジットカードでの決済を中止する。
【０１１５】
次に、ステップＳ４１４では、ステップＳ４０１において入力された売上情報、およびステップＳ４０８において受信したカード磁気データもしくはステップＳ４１０において入力されたクレジットカード情報等から取引データを生成し、ハードディスク９３に確保された取引データ領域９３ａに記憶する。
なお、ここで、生成される取引データは、第１の実施形態における場合と同様である。
【０１１６】
次に、ステップＳ４１５では、ステップＳ４０８において受信した読取結果データを構成するカード画像データを、ステップＳ４１４において記憶された取引データと対応付けて、ハードディスク９３に確保されたカード画像データ領域９３ｃに記憶する。なお、ステップＳ４０４において、磁気データの読み取りが正常に行われた場合は、カード画像データは生成されていないので本処理は行わない。
なお、ここで、カード画像データと取引データとの対応付けは、第１の実施形態における場合と同様である。
【０１１７】
次に、ステップＳ４１６では、ステップＳ４１４において記憶された取引データを、レシート印刷用の取引データに変換して、レシート印刷を指示する印刷コマンドとともに印刷装置１０に送信する。
【０１１８】
次に、印刷装置１０へ処理が移行し、ステップＳ４１７では、ＰＯＳ端末装置８０から送信されたレシート印刷用の取引データおよび印刷コマンドを受信する。
【０１１９】
次に、ステップＳ４１８では、ステップＳ４１７において受信したレシート印刷用の取引データおよび印刷コマンドに基づいて、ロール紙ＲにレシートＲ１０を印刷する。印刷されたレシートＲ１０は、ロール紙排出口３５ａから排出される。
なお、ここで、印刷されたレシートＲ１０は、第１の実施形態における場合と同様に、取引客に渡され、取引客により署名が行われる。
【０１２０】
次に、ステップＳ４１９では、ステップＳ４１８において印刷され、その後、取引客により署名されたレシートＲ１０が、オペレータにより、印刷装置１０のスリップ紙挿入口２１ａから挿入されると、レシートＲ１０をスリップ紙排出口２１ｂへ向けて搬送させ、スリップ紙画像読取センサ２６によりレシートＲ１０の表面の画像の読み取りを行う。そして、この読み取り結果に基づいてレシート画像データを生成する。
【０１２１】
次に、ステップＳ４２０では、ステップＳ４１９において生成されたレシート画像データを、ＰＯＳ端末装置８０に送信する。
印刷装置１０における処理は、これで終了する。
【０１２２】
次に、ＰＯＳ端末装置８０へ処理が移行し、ステップＳ４２１では、印刷装置１０から送信されたレシート画像データを受信する。
【０１２３】
次に、ステップＳ４２２では、ステップＳ４２１において受信したレシート画像データを、ステップＳ４１４において記憶された取引データと対応付けて、ハードディスク９３に確保されたスリップ紙画像データ領域９３ｂに記憶する。
ここで、レシート画像データと取引データとの対応付けは、第１の実施形態における場合と同様である。
ＰＯＳ端末装置８０における処理は、これで終了する。
【０１２４】
図１１は、ＰＯＳ端末装置に記憶された取引関連データを確認する処理を示すフローチャートである。図１１を用いて、ＰＯＳ端末装置８０に記憶された、取引関連データとなるレシート画像データ、取引データおよびカード画像データを確認する処理について説明する。なお、図１１に示すフローチャートの各ステップにおける動作は、ＰＯＳ端末装置８０の場合はＣＰＵ９０の制御により実行され、印刷装置１０の場合はＣＰＵ１００の制御により実行される。
【０１２５】
まず、ＰＯＳ端末装置８０において処理が開始され、ステップＳ５０１ではオペレータにより、レシート画像データ、取引データおよびカード画像データに対して、検索を行うための検索指示情報がキーボード８２から入力される。そして、入力された検索指示情報に基づいて検索指示データを作成する。
なお、ここで、オペレータによる検索指示情報は、第１の実施形態における場合と同様である。
【０１２６】
次に、ステップＳ５０２では、ステップＳ５０１において入力された検索指示データを構成するデータ種別および検索キーワードのデータに基づいて、レシート画像データや取引データやカード画像データに対して検索を行う。
【０１２７】
次に、ステップＳ５０３では、ステップＳ５０２において検索された検索データに基づいて、レシート画像や取引情報やカード画像をディスプレイ８４に表示する。
【０１２８】
次に、ステップＳ５０４では、キーボード８２からの入力により、検索データを印刷する指示を受け付けた場合（ＹＥＳ）は、ステップＳ５０５において、印刷装置１０へ、印刷指示コマンドとともにステップＳ５０２において検索されたレシート画像データや取引データやカード画像データから構成される印刷用の検索データを送信する。そうでない場合（ＮＯ）またはステップＳ５０５における送信処理が終了したら、ＰＯＳ端末装置８０における処理は、これで終了する。
【０１２９】
次に、印刷装置１０へ処理が移行し、ステップＳ５０６では、ＰＯＳ端末装置８０から印刷コマンドとともに印刷用の検索データを受信する。
【０１３０】
次に、ステップＳ５０７では、ステップＳ５０６において受信した印刷用の検索データに基づいて、レシート画像や取引情報やカード画像をロール紙Ｒに印刷する。
印刷装置１０における処理は、これで終了する。
【０１３１】
なお、第２の実施形態では、ステップＳ５０２において検索されたデータを、ＰＯＳ端末装置８０において表示させた後、印刷装置１０において印刷する例を示したが、表示および印刷に関しては、これに限定されるものではない。例えば、ステップＳ５０２においてデータ検索後、検索されたデータの表示を省いて、印刷装置１０にデータを送信して印刷しても良い。
また、ＰＯＳ端末装置８０において、検索されたデータを表示させた後、検索されたデータから、さらに絞込みの検索を行うために、キーボード８２から検索指示情報の入力を受け付けるなどしても良い。
【０１３２】
なお、画像データ生成部は、ＣＰＵ１００が、図１０のフローチャートのＳ４１９を実行することにより構築される。請求項１２に記載の画像検索部、請求項１３に記載の取引検索部および請求項１５に記載のカード画像検索部は、ＣＰＵ９０が、図１１のフローチャートのＳ５０２を実行することにより構築される。請求項１１に記載の取引データ生成部は、ＣＰＵ９０が、図１０のフローチャートのＳ４１６を実行することにより構築される。請求項１４に記載のカード画像データ生成部は、ＣＰＵ９０が、図１０のフローチャートのＳ４０６を実行することにより構築される。
【０１３３】
上述した、第２の実施形態によれば以下の効果が得られる。
【０１３４】
（１）本実施形態のＰＯＳシステム１によれば、印刷装置１０において生成された、レシートの画像に対してのレシート画像データおよびクレジットカードの画像に対してのカード画像データをＰＯＳ端末装置８０で受信する。受信したレシート画像データおよびカード画像データは、その商取引における取引データとともにハードディスク９３に記憶される。
ＰＯＳ端末装置８０に備えたハードディスク９３に、取引データ、レシート画像データおよびカード画像データが記憶されていることにより、それぞれのデータを短時間に検索することができ、これらのデータに基づいて、取引情報、レシートの画像およびクレジットカードの画像を、ＰＯＳ端末装置８０に備えたディスプレイ８４に表示させることができる。また、テキストデータと比較すると容量の大きい画像データを、大容量のハードディスク９３に記憶させるため、多くの商取引に関して、これらのデータを保管することができる。さらに、ＰＯＳ端末装置８０において、例えば、これらのデータをクレジットカード番号順に並び替える等のデータの加工が容易に行える。
【０１３５】
なお、本発明は、上述した実施形態に限定されず、種々の変更や改良を加えることが可能である。変形例を以下に述べる。
【０１３６】
（変形例１）前記実施形態において、印刷装置１０において印刷されたレシートＲ１０を、印刷装置１０のスリップ紙挿入口２１ａから挿入して画像の読み取りを行い、そのレシートＲ１０に対しての画像データを生成している。しかし、これに限らず、別の印刷装置により印刷された同じ幅のレシートを、印刷装置１０のスリップ紙挿入口２１ａから挿入して画像の読み取りを行い、そのレシートに対しての画像データを生成しても良い。
印刷装置１０において、別の印刷装置において印刷されたレシートに対しての画像データが生成できるため、例えば、複数の印刷装置を有する店舗において、業務終了後に、各印刷装置において印刷された署名入りのレシートを１箇所に集めて、１台の印刷装置でそれらのレシートに対しての画像データをまとめて生成することができる。これにより、レシートに対しての画像データを生成させる業務を効率的に進められる。
また、各印刷装置で印刷されたレシートに対しての画像データを、１つのデータ領域に記憶させることにより、これらの画像データを集中管理できる。
さらに、ここで、業務の運用上可能であれば、別の印刷装置により印刷された異なる幅のレシートを、印刷装置１０のスリップ紙挿入口２１ａから挿入して画像の読み取りを行い、そのレシートに対しての画像データを生成しても良い。
【０１３７】
（変形例２）前記実施形態において、印刷装置１０において印刷されたレシートＲ１０を、印刷装置１０のスリップ紙挿入口２１ａから挿入して画像の読み取りを行い、そのレシートＲ１０に対しての画像データを生成している。しかし、これに限らず、クレジット処理端末であるＣＡＴ（Credit Authorization Terminal）端末にて印刷されたクレジット決済伝票を、スリップ紙挿入口２１ａから挿入して画像の読み取りを行い、その伝票に対しての画像データを生成しても良い。クレジット決済伝票に対しての画像データを生成して保管できることにより、ＣＡＴ端末を備えた業務の形態に対しても本発明を適用することができ、汎用性が拡がる。
なお、上述したクレジット決済伝票以外の伝票に対しても、本発明を適用することができる。
【０１３８】
（変形例３）前記実施形態において、磁気データの読み取りが正常に行えなかった場合のみ、クレジットカードの表面の画像を読み取ってカード画像データを生成している。しかし、これに限らず、磁気データの読み取りが正常に行えた場合も、クレジットカードの表面の画像を読み取ってカード画像データを生成しても良い。つまり、クレジットカードを用いたすべての商取引に対して、カード画像データを生成して保管することになる。
また、逆に、すべての商取引に対して、カード画像データを生成する処理を省略しても良い。
【０１３９】
（変形例４）前記実施形態において、印刷装置１０に備えたスリップ紙搬送路２１のスリップ紙挿入口２１ａ部分に、挿入されるスリップ紙Ｓの幅に合わせて、可動式に位置決めする用紙ガイド１４を設けている。しかし、これに加えて、この用紙ガイド１４に、幅方向の位置を検知する位置センサを設けて、位置センサの検知結果を参照することにより、画像データを生成する処理において、実際にセットされたスリップ紙Ｓの幅に対応した画像データを生成しても良い。これにより、不要な画像データが生成されず、データ容量を節減でき、さらに、画像データに関するデータ処理速度の向上にもつながる。
【０１４０】
（変形例５）前記第１の実施形態において、レシート画像データ、取引データおよびカード画像データを、印刷装置１０に備えたフラッシュＲＯＭ１０２に記憶している。しかし、これに限らず、取引データをＰＯＳ端末装置８０に備えたハードディスク９３に記憶し、レシート画像データおよびカード画像データを、印刷装置１０に備えたフラッシュＲＯＭ１０２に記憶しても良い。取引データをＰＯＳ端末装置８０に備えたハードディスク９３に記憶することにより、ＰＯＳ端末装置８０において、例えば、取引データを加工した各種の分析資料を作成するとか、大容量の外部記憶装置にデータを退避するとかの処理が容易に短時間に行なえる。
また、レシート画像データ、取引データおよびカード画像データのそれぞれを、印刷装置１０またはＰＯＳ端末装置８０のどちらに記憶するかの組み合わせは、業務の形態、データ容量、装置環境等に合わせて自由に組み合わせても良い。
【０１４１】
（変形例６）前記第２の実施形態において、レシート画像データ、取引データおよびカード画像データに基づいて、レシートの画像、取引情報およびクレジットカードの画像をＰＯＳ端末装置８０に備えたディスプレイ８４に表示している。しかし、これに限らず、レシート画像データ、取引データおよびカード画像データのうち少なくとも１つを、ＰＯＳ端末装置８０に備えたサーバインタフェース９５を介して、ＰＯＳサーバ５へ送信しても良い。
【０１４２】
（変形例７）前記実施形態において、ＰＯＳサーバ５とネットワーク７５を介して接続されているＰＯＳシステム１で、本発明を実施する場合について説明した。しかし、これに限らず、ＰＯＳサーバと接続されないで単独で動作するキャッシュレジスタ等のシステムに用いても良い。
【図面の簡単な説明】
【０１４３】
【図１】ＰＯＳシステムの構成を示す図。
【図２】印刷装置の外観斜視図。
【図３】スリップ紙搬送部分を示す断面図。
【図４】印刷装置のカード画像および磁気データの読取機構部の断面図。
【図５】ＰＯＳシステムの制御ブロック図。
【図６】取引関連データを印刷装置に記憶する処理を示すフローチャート。
【図７】レシート印刷内容のサンプル。
【図８】印刷装置に記憶された取引関連データを確認する処理を示すフローチャート。
【図９】第２の実施形態におけるＰＯＳシステムの制御ブロック図。
【図１０】取引関連データをＰＯＳ端末装置に記憶する処理を示すフローチャート。
【図１１】ＰＯＳ端末装置に記憶された取引関連データを確認する処理を示すフローチャート。
【符号の説明】
【０１４４】
１…ＰＯＳシステム、５…ＰＯＳサーバ、６…与信照会サーバ、１０…印刷装置、１０ｃ…印刷制御部、１１…側面背面側筐体部、１１ａ…筐体、１２…正面側筐体部、１２ａ…正面側下部、１２ｂ…正面側カバー、１２ｃ…正面側側部、１３…上面蓋体部、１３ａ…上面カバー、１４…用紙ガイド、２１…スリップ紙搬送路、２１ａ…スリップ紙挿入口、２１ｂ…スリップ紙排出口、２２ａ…ローラ、２２ｂ…ローラ、２３…裏面印刷部、２３ａ…印刷部、２３ａ…裏面印刷部、２３ｂ…プラテンローラ、２４ａ…ローラ、２４ｂ…ローラ、２５…表面印刷部、２５ａ…印刷部、２５ｂ…プラテン、２６…スリップ紙画像読取センサ、２６ａ…読取面、２７…ローラ、２７ａ…部材、２８ａ…スリップ紙後端センサ、２８ｂ…スリップ紙先端センサ、２９…排出検出器、３０…ロール紙収容部、３２…プラテンローラ、３３…サーマル印刷ヘッド、３４…オートカッタ、３４ａ…固定刃、３４ｂ…可動刃、３５ａ…ロール紙排出口、４１…カード搬送路、４１ａ…カード挿入口、４１ｂ…開口、４３ａ…ローラ、４３ｂ…ローラ、４４…カード画像読取センサ、４４ａ…読取面、４５…ローラ、４６ａ…ローラ、４６ｂ…ローラ、５１…フレーム、５２…ヒンジ部、５３…固定部、５８…磁気ヘッド、７５…ネットワーク、８０…ＰＯＳ端末装置、８０ｃ…ＰＯＳ端末制御部、８１…本体ケース、８２…キーボード、８２ｃ…キーボード制御部、８３…バーコードリーダ、８３ｃ…バーコードリーダ制御部、８４…ディスプレイ、８４ｃ…ディスプレイ制御部、８５…キャッシュドロア、９０…ＣＰＵ、９１…ＲＡＭ、９２…ＲＯＭ、９３…ハードディスク、９３ａ…取引データ領域、９３ｂ…スリップ紙画像データ領域、９３ｃ…カード画像データ領域、９４…入出力インタフェース、９５…サーバインタフェース、９６…データバス、１００…ＣＰＵ、１０１…ＲＡＭ、１０２…フラッシュＲＯＭ、１０２ａ…取引データ領域、１０２ｂ…スリップ紙画像データ領域、１０２ｃ…カード画像データ領域、１０３…入出力インタフェース、１０４…データバス、１１０…ロール紙印刷機構部、１１０ｃ…ロール紙印刷制御部、１１１…スリップ紙印刷機構部、１１１ｃ…スリップ紙印刷制御部、１１２…スリップ紙画像読取機構部、１１２ｃ…スリップ紙画像読取制御部、１１３…カード磁気データ読取機構部、１１３ｃ…カード磁気データ読取制御部、１１４…カード画像読取機構部、１１４ｃ…カード画像読取制御部、Ｒ…ロール紙、Ｒ１０…レシート、Ｒ１１…店舗情報欄、Ｒ１２…精算日・購入者名・取引明細欄、Ｒ１３…支払合計金額欄、Ｒ１４…署名欄、Ｒ１５…伝票番号・担当者番号欄、Ｓ…スリット紙。
【図１】
2007025747.tif 000003
【図２】
2007025747.tif 000004
【図３】
2007025747.tif 000005
【図４】
2007025747.tif 000006
【図５】
2007025747.tif 000007
【図６】
2007025747.tif 000008
【図７】
2007025747.tif 000009
【図８】
2007025747.tif 000010
【図９】
2007025747.tif 000011
【図１０】
2007025747.tif 000012
【図１１】
2007025747.tif 000013